(57)【特許請求の範囲】
【請求項１】
把持部に設けられ、撮影時の撮影者の生理情報を検出する生理情報センサと、
前記生理情報センサが検出した生理情報に基づき前記撮影者の生理状態が平常状態であるか否かを判別する判別手段と、
該判別手段の判別結果として、撮影者の生理状態が平常状態ではないと判別した場合には手振れを抑制する撮影制御設定に変更する変更手段と、
を備えたことを特徴とする撮像装置。
【請求項２】
把持部に設けられ、撮影時の撮影者の生理情報を検出する生理情報センサと、
前記生理情報センサが検出した生理情報に基づき前記撮影者の生理状態が平常状態であるか否かを判別する判別手段と、
該判別手段の判別結果として、撮影者の生理状態が平常状態ではないと判別した場合には単位時間当たりの撮影枚数が多くなるよう撮影制御設定に変更する変更手段と、
を備えたことを特徴とする撮像装置。
【請求項３】
前記生理情報センサが検出する生理情報は心拍数であり、前記判別手段は心拍数が所定値を超えた場合に平常状態ではないと判別することを特徴とする請求項１または２に記載の撮像装置。
【請求項４】
前記生理情報センサが検出する生理情報は皮膚電気抵抗値であり、前記判別手段は皮膚電気抵抗値が所定値を下回った場合に平常状態ではないと判別することを特徴とする請求項１乃至３のいずれか１項に記載の撮像装置。
【請求項５】
把持部に設けられ、撮影時の撮影者の生理情報を検出する生理情報センサを備えている撮像装置に用いられる撮影制御設定方法において、
前記生理情報センサが検出した生理情報に基づき前記撮影者の生理状態が平常状態であるか否かを判別する判別ステップと、
該判別ステップの判別結果として、撮影者の生理状態が平常状態ではないと判別した場合には手振れを抑制する撮影制御設定に変更する変更ステップと、
を備えたことを特徴とする撮影制御設定方法。
【請求項６】
把持部に設けられ、撮影時の撮影者の生理情報を検出する生理情報センサを備えている撮像装置に用いられる撮影制御設定方法において、
前記生理情報センサが検出した生理情報に基づき前記撮影者の生理状態が平常状態であるか否かを判別する判別ステップと、
該判別ステップの判別結果として、撮影者の生理状態が平常状態ではないと判別した場合には単位時間当たりの撮影枚数が多くなるよう撮影制御設定に変更する変更ステップと、
を備えたことを特徴とする撮影制御設定方法。
【請求項７】
把持部に設けられ、撮影時の撮影者の生理情報を検出する生理情報センサを備えている撮像装置のコンピュータに、
前記生理情報センサが検出した生理情報に基づき前記撮影者の生理状態が平常状態であるか否かを判別する判別ステップと、
該判別ステップの判別結果として、撮影者の生理状態が平常状態ではないと判別した場合には手振れを抑制する撮影制御設定に変更する変更ステップと、
を実行させるためのプログラム。
【請求項８】
把持部に設けられ、撮影時の撮影者の生理情報を検出する生理情報センサを備えている撮像装置のコンピュータに、
前記生理情報センサが検出した生理情報に基づき前記撮影者の生理状態が平常状態であるか否かを判別する判別ステップと、
該判別ステップの判別結果として、撮影者の生理状態が平常状態ではないと判別した場合には単位時間当たりの撮影枚数が多くなるよう撮影制御設定に変更する変更ステップと、
を実行させるためのプログラム。
【発明の詳細な説明】
【技術分野】
【０００１】
本発明は、撮影者の撮影時の生理状態に応じて、撮影条件を自動的に設定する撮像装置、再生装置、撮影制御設定方法およびプログラムに関する。
【背景技術】
【０００２】
近年、パーソナルコンピュータの目覚しい普及やその使い勝手の良さから、従来の銀塩フィルムを用いたカメラに替わって、ＣＣＤ（Ｃｈａｒｇｅ  Ｃｏｕｐｌｅｄ  Ｄｅｖｉｃｅ）等の撮像素子を用いたデジタルカメラが急速に普及している。また、こうした急速なデジタルカメラの普及に伴って、その機能も多様化している。
【０００３】
そして、最近では、撮影者の脈波を検出して、撮影動作を開始するときが周期的に検出される脈ブレと脈ブレの間にあると判断する場合に撮影動作を実行し、脈ブレが発生しているときであると判断する場合には脈ブレの終了したときに撮影動作を実行する（例えば、特許文献１参照。）が知られている。
【特許文献１】特開２００５−３３１７１６号公報
【発明の開示】
【発明が解決しようとする課題】
【０００４】
しかしながら、上記のように、脈ブレを回避して撮影を行うだけでは、脈ブレよりも大きな手振れには対処できず、またシャッターチャンスを逃す可能性すらある。また生理状態を検出できるセンサを搭載しながらも、これから得られた情報を十分活用し切れていない。
【０００５】
そこで、本発明は、上記の事情に鑑みてなされたものであり、撮影者の生理状態に基づいて好適な撮影制御を行う撮像装置、再生装置、撮影条件設定方法およびプログラムを提供することを目的とする。
【課題を解決するための手段】
【０００６】
本発明は、上記の課題を解決するために、以下の構成を備えている。
【０００７】
（１）本発明は、把持部に設けられ、撮影時の撮影者の生理情報を検出する生理情報センサと、前記生理情報センサが検出した生理情報に基づき前記撮影者の生理状態が平常状態であるか否かを判別する判別手段と、該判別手段の判別結果として、撮影者の生理状態が平常状態ではないと判別した場合には手振れを抑制する撮影制御設定に変更する変更手段と、を備えたことを特徴とする撮像装置である。
【０００８】
（２）本発明は、把持部に設けられ、撮影時の撮影者の生理情報を検出する生理情報センサと、前記生理情報センサが検出した生理情報に基づき前記撮影者の生理状態が平常状態であるか否かを判別する判別手段と、該判別手段の判別結果として、撮影者の生理状態が平常状態ではないと判別した場合には単位時間当たりの撮影枚数が多くなるよう撮影制御設定に変更する変更手段と、を備えたことを特徴とする撮像装置である。
【０００９】
（３）本発明は、前記生理情報センサが検出する生理情報は心拍数であり、前記判別手段は心拍数が所定値を超えた場合に平常状態ではないと判別することを特徴とする請求項１または２に記載の撮像装置である。
【００１０】
（４）本発明は、前記生理情報センサが検出する生理情報は皮膚電気抵抗値であり、前記判別手段は皮膚電気抵抗値が所定値を下回った場合に平常状態ではないと判別することを特徴とする請求項１乃至３のいずれか１項に記載の撮像装置である。
【００１１】
（５）本発明は、把持部に設けられ、撮影時の撮影者の生理情報を検出する生理情報センサを備えている撮像装置に用いられる撮影制御設定方法において、前記生理情報センサが検出した生理情報に基づき前記撮影者の生理状態が平常状態であるか否かを判別する判別ステップと、該判別ステップの判別結果として、撮影者の生理状態が平常状態ではないと判別した場合には手振れを抑制する撮影制御設定に変更する変更ステップと、を備えたことを特徴とする撮影制御設定方法である。
【００１２】
（６）本発明は、把持部に設けられ、撮影時の撮影者の生理情報を検出する生理情報センサを備えている撮像装置に用いられる撮影制御設定方法において、前記生理情報センサが検出した生理情報に基づき前記撮影者の生理状態が平常状態であるか否かを判別する判別ステップと、該判別ステップの判別結果として、撮影者の生理状態が平常状態ではないと判別した場合には単位時間当たりの撮影枚数が多くなるよう撮影制御設定に変更する変更ステップと、を備えたことを特徴とする撮影制御設定方法である。
【００１３】
（７）本発明は、把持部に設けられ、撮影時の撮影者の生理情報を検出する生理情報センサを備えている撮像装置のコンピュータに、前記生理情報センサが検出した生理情報に基づき前記撮影者の生理状態が平常状態であるか否かを判別する判別ステップと、該判別ステップの判別結果として、撮影者の生理状態が平常状態ではないと判別した場合には手振れを抑制する撮影制御設定に変更する変更ステップと、を実行させるためのプログラムである。
【００１４】
（８）本発明は、把持部に設けられ、撮影時の撮影者の生理情報を検出する生理情報センサを備えている撮像装置のコンピュータに、前記生理情報センサが検出した生理情報に基づき前記撮影者の生理状態が平常状態であるか否かを判別する判別ステップと、該判別ステップの判別結果として、撮影者の生理状態が平常状態ではないと判別した場合には単位時間当たりの撮影枚数が多くなるよう撮影制御設定に変更する変更ステップと、を実行させるためのプログラムである。
【発明の効果】
【００１５】
本発明によれば、撮像装置が撮影者の生理状態に基づいて自動的に撮影制御設定を行うことから、撮影者に撮影状況に応じた撮影補助効果を与えることができる。
【発明を実施するための最良の形態】
【００１６】
以下、本発明の実施形態について、図面を用いて、詳細に説明する。
なお、本実施形態における構成要素は適宜、既存の構成要素等との置き換えが可能であり、また、他の既存の構成要素との組合せを含む様々なバリエーションが可能である。したがって、本実施形態の記載をもって、特許請求の範囲に記載された発明の内容を限定するものではない。
【００１７】
＜第１の実施形態＞
図１から図５を用いて、第１の実施形態について説明する。
【００１８】
＜撮像装置の外観構成＞
本実施形態に係る撮像装置１００の外観構成は、図１に示すようになっており、図１（ａ）はその上面図、図１（ｂ）はその正面図、図１（ｃ）は、その背面図を示している。
【００１９】
撮像装置１００は、図１（ａ）に示すように、その上面側に電源ボタン３と、シャッターボタン４とを備えている。
【００２０】
また、撮像装置１００の正面には、図１（ｂ）に示すように、ＡＦ（Ａｕｔｏ  Ｆｏｃｕｓ）補助光あるいはセルフタイマー用のＬＥＤ６と、キセノンフラッシュ８と、ＬＥＤフラッシュ９と、レンズ１１とを備えている。また、撮像装置１００の把持部にあたる部分には、撮影者の心拍数を検出するための心拍数センサ２２が設けられている。
【００２１】
更に、撮像装置１００の背面には、図１（ｃ）に示すように、Ｐｌａｙボタン１４と、Ｒｅｃボタン１５と、動画ボタン１６と、ＳＥＴキー１７と、コントロールボタン１８と、ＭＥＮＵボタン１９と、ＤＩＳＰキー２０と、ＬＣＤ２１とを備えている。
【００２２】
ここで、Ｐｌａｙボタン１４は、再生モードを設定するためのボタンであり、Ｒｅｃボタン１５は、撮影モードを設定するためのボタンである。
【００２３】
動画ボタン１６は、動画モードを設定するための回転式ダイヤルであり、コントロールボタン１８は、上下左右各方向への項目選択用のキーが一体に形成されたものであり、このコントロールボタン１８の中央に位置するＳＥＴキー１７は、その時点で選択されている項目を設定する際に、操作するキーである。
【００２４】
ＭＥＮＵボタン１９は、各種システムの設定を行うためのキーであり、例えば、再生モードにおいては、デリートモードをはじめとした各種項目をＬＣＤ２１に表示し、撮影モードにおいては、画像の記録に必要な、例えば、記録画像の精細度やオートフォーカスのオンオフ等に加え、ムービー画像の撮影コマ数の選択項目をＬＣＤ２１に表示する。
【００２５】
ＤＩＳＰキー２０は、ＬＣＤ２１に表示された画像に様々な情報をオーバーラップ表示するためのキーであり、例えば、撮影モードでは、残り撮影可能枚数や撮影形態等の情報をオーバーラップ表示し、再生モードでは、再生画像の属性情報（ページ番号や精細度等）をオーバーラップ表示する。ＬＣＤ２１は、バックライト付きのカラー液晶パネルで構成され、撮影モード時にはスルー画像のモニタ表示を行う一方で、再生モード時には選択した画像等を再生表示する。
【００２６】
また、図示しない撮像装置１００の側面には、パーソナルコンピュータやモデム等の外部装置をＵＳＢ（Ｕｎｉｖｅｒｓａｌ  Ｓｅｒｉａｌ  Ｂｕｓ）ケーブルで接続する場合に用いられるＵＳＢ端子の接続部や、メモリカード等を挿入するスロット等が設けられている。
【００２７】
＜撮像装置の電気的構成＞
本実施形態に係る撮像装置１００は、図１に示すように、キー入力部４、１４〜２０と、ストロボ発光部８、９と、ＬＣＤ２１と、心拍数センサ２２と、レンズ３０と、レンズ駆動ブロック３１と、絞り兼用シャッター３２と、ＣＣＤ４０と、画像処理部４１と、充電状態検出部４２と、外部通信Ｉ／Ｆ（Ｉｎｔｅｒｆａｃｅ）４３と、ストロボ駆動部４４と、記録メディア４５と、記録メディアＩ／Ｆ（Ｉｎｔｅｒｆａｃｅ）４６と、メモリ４７と、ＤＲＡＭ（Ｄｙｎａｍｉｃ  Ｒａｎｄｏｍ  Ａｃｃｅｓｓ  Ｍｅｍｏｒｙ）４８と、撮影処理判断部５０と、ＣＰＵ（Ｃｅｎｔｒａｌ  Ｐｒｏｃｅｓｓｉｎｇ  Ｕｎｉｔ）６０と、を備えており、記録メディアＩ／Ｆ４６には、図示しない撮像装置１００本体のカードスロットにメモリカード等の記録メディア４５が着脱可能に接続される。
【００２８】
キー入力部１〜４、１４〜２０は、モードダイヤル２、連写ダイヤル１、電源ボタン３、シャッターボタン４、Ｐｌａｙボタン１４、Ｒｅｃボタン１５、動画ボタン１６、ＳＥＴキー１７、コントロールボタン１８、ＭＥＮＵボタン１９、ＤＩＳＰキー２０等の複数の操作キーを含み、撮影者のキー操作に応じた操作信号をＣＰＵ６０に出力する。
【００２９】
心拍数センサ２２は、撮像装置１００を保持した撮影者の指から心拍数を測定する。この測定値を分析することにより、撮影者が身体を動かしているのかや、緊張あるいは興奮等に伴う心の動き、気持ちの変化等を知ることができる。
【００３０】
レンズ３０は、フォーカスレンズ、ズームレンズを含み、レンズ駆動ブロック３１が接続されている。このレンズ駆動ブロック３１は、図示しないフォーカスレンズ、ズームレンズをそれぞれ撮像面と平行な光軸方向に駆動させるフォーカスモータおよびズームモータと、ＣＰＵ６０からの制御信号にしたがってフォーカスモータおよびズームモータをそれぞれ駆動させるフォーカスドライバおよびズームモータドライバから構成されている。
【００３１】
絞り兼用シャッター３２は、図示しない駆動回路を含み、この駆動回路はＣＰＵ６０から送られてくる制御信号にしたがって絞り兼用シャッターを動作させる。なお、この絞り兼用シャッター３２は、絞りとシャッターとして機能する。
【００３２】
ここで、絞りとは、撮像レンズ３０から入ってくる光の量を制御する機構をいい、シャッターとは、ＣＣＤ４０に光を当てる時間を制御する機構をいう。また、ＣＣＤ４０に光を当てる時間（露出時間）は、シャッターの開閉速度（シャッター速度）によって変化するため、露出量は、この絞りとシャッター速度とによって定めることができる。
【００３３】
ＣＣＤ４０は、撮像レンズ３０および絞り兼用シャッター３２を介して投影された被写体の光を電気信号に変換し、撮像信号として画像処理部４１に出力する。
【００３４】
画像処理部４１は、ＣＣＤ４０から出力される撮像信号を相関二重サンプリングして保持するＣＤＳ（Ｃｏｒｒｅｌａｔｅｄ  Ｄｏｕｂｌｅ  Ｓａｍｐｌｉｎｇ）回路、そのサンプリング後の撮像信号の自動利得調整を行うＡＧＣ（Ａｕｔｏｍａｔｉｃ  Ｇａｉｎ  Ｃｏｎｔｒｏｌ）回路、その自動利得調整後のアナログの撮像信号をデジタル信号に変換するＡ／Ｄ変換器等から構成されている。また、このデジタル信号の画像処理（画素補間処理、γ補正、輝度色差信号の生成、ホワイトバランス処理、露出補正処理等）を実行する。
【００３５】
ＣＰＵ６０は、撮像装置１００の各部を制御プログラムにしたがって制御するワンチップマイコンであって、時刻を計時するクロック回路を含む。
【００３６】
ＤＲＡＭ４８は、表示データ等の各種データを一時保存する。また、ＣＰＵ６０のワーキングメモリとしても使用される。
【００３７】
外部通信Ｉ／Ｆ４３は、外部の電子機器（例えば、パーソナルコンピュータ）との間でデータの入出力を行うものであり、ＵＳＢ規格、ＩＥＥＥ１３９４規格等の各種インターフェース規格による入出力を可能としており、これらの規格によるデータ入出力が可能なパソコン等の電子機器と接続可能となっている。また、ＩｒＤＡ規格による赤外線通信、Ｂｌｕｅｔｏｏｔｈ（登録商標）規格による無線通信により外部の電子機器と画像データの入出力を可能としているものでも良い。
【００３８】
ストロボ駆動部４４は、ＣＰＵ６０の制御信号にしたがって、ストロボ発光部８、９を閃光駆動させ、ストロボ発光部８、９は、これによりストロボを閃光させる。ＣＰＵ６０は、図示しない測光回路により、撮影シーンが暗いか否かを判断し、撮影シーンが暗いと判断し、かつ、撮影を行う場合（シャッターボタン４の押下時）には、ストロボ駆動部４４に制御信号を出力する。
【００３９】
メモリ４７は、ＣＰＵ６０による撮像装置１００の各部の制御に必要なプログラムおよび各部の制御に必要なデータを記録格納しており、ＣＰＵ６０は、このプログラムにしたがって処理を実行する。
【００４０】
撮影処理判断部５０は、心拍数センサ２２が検出した心拍数を計測し、その計測結果に基づいて、心拍数の変化を判定して、判定結果に対応した撮影条件を設定する。なお、撮影処理判断部５０の詳細については、後述する。
【００４１】
＜撮影処理判断部の構成＞
次に、図３を用いて、撮影処理判断部の構成について説明する。
図３に示すように、撮影処理判断部５０は、心拍数計測部５１と、心拍数変化判定部５２と、心拍数データメモリ５３と、心拍数機能オプションメモリ５４と、撮影処理実行部５５と、撮影画像情報記録部５６と、画像データメモリ５７とから構成されている。また、これらはバスラインを介して接続されており、このバスラインには、撮像装置１００のＣＰＵ６０、キー入力部４、１４〜２０、ＬＣＤ２１が接続されており、心拍数計測部５１には、心拍数センサ２２が接続されている。なお、図２と同一の符号を付す構成要素については、同一の機能を有することから、その詳細な説明は省略する。
【００４２】
心拍数計測部５１は、心拍数センサ２２からの出力信号を基に演算処理を行い、心拍数を計測する。なお、計測結果は、心拍数データメモリ５３に格納する。心拍数変化判定部５２は、心拍数データメモリ５３を参照し、心拍数の状態変化を判別して、その判別結果を撮影処理実行部５５に通知する。
【００４３】
心拍数データメモリ５３は、心拍数計測部５１から出力される計測結果を格納する記憶装置である。心拍数機能オプションメモリ５４は、心拍数の状態変化に対する各種撮影条件の制御機能等を相互に関連づけてデータテーブルの形式で保存する。
【００４４】
撮影処理実行部５５は、心拍数変化判定部５２からの判別結果通知に基づいて、撮影に必要な各種制御や撮影処理を実行する。撮影画像情報記録部５６は、撮影した画像データやそれに付随する各種情報を撮影データとして記憶する。画像データメモリ５７は、撮影処理実行部５５により撮影された画像データを格納する記憶装置である。
【００４５】
なお、本実施形態においては、撮影者の心拍数に対応する撮像装置のモードとして、以下のモードを定義する。
１）平常モード
心拍数が、毎分おおよそ６５〜７５回（身体が休んでいる状態）近傍。
２）高心拍数モード
心拍数が、上記平常時状態の心拍数よりも多い状態。
３）高心拍数検出後モード
高心拍数状態に移行後、平常時相当の心拍数に戻ってから一定期間経過までの状態。
【００４６】
＜撮影処理判断部のメイン処理＞
次に、図４を用いて、撮影処理判断部のメイン処理について説明する。
まず、撮影者が撮影状態にあるときの心拍数を心拍数センサ２２により、心拍数計測部５１が計測し、心拍数データメモリ５３に保存する。心拍数変化判定部５２は、心拍数データメモリ５３から心拍数データを読み出して、心拍数の状態判別を行う（ステップＳ１０１）。ここで、図４の次ステップの説明を行う前に、図５を用いて、心拍数の状態判別処理について説明する。
【００４７】
＜撮影処理判断部の心拍数の状態判別処理＞
撮影処理判断部の心拍数の状態判別処理は、まず、ＣＰＵ６０が撮影処理実行部５５等を初期状態に設定する（ステップＳ２０１）。次に、撮影者が撮影状態にあるときの心拍数を心拍数センサ２２により、心拍数計測部５１が計測し、心拍数データメモリ５３に保存する（ステップＳ２０２）。心拍数変化判定部５２は、心拍数データメモリ５３から心拍数データを読み出して、読み出した心拍数が平常時の心拍数よりも高いのか否かを判定する（ステップＳ２０３）。
【００４８】
このとき、読み出した心拍数が平常時の心拍数よりも高い場合（ステップＳ２０３の「Ｙｅｓ」）には、その値が高心拍数モードであるのか否かを判定し（ステップＳ２０４）、高心拍数モードである場合（ステップＳ２０４の「Ｙｅｓ」）には、高心拍数モードに移行し、撮影処理実行部５５が、心拍数機能オプションメモリ５４内のデータテーブルを参照して、適切な撮影条件に設定変更を行い、処理をステップＳ２０２に戻す。一方で、高心拍数モードでない場合（ステップＳ２０４の「Ｎｏ」）には、処理をステップＳ２０２に戻す。
【００４９】
また、ステップＳ２０３で、読み出した心拍数が平常時の心拍数よりも低い場合（ステップＳ２０３の「Ｎｏ」）には、その値が平常モードであるのか否かを判定し（ステップＳ２０６）、平常モードである場合（ステップＳ２０６の「Ｙｅｓ」）には、処理をステップＳ２０２に戻す。
【００５０】
一方で、平常モードでない場合（ステップＳ２０６の「Ｎｏ」）には、高心拍数モードであるか否かを判定し（ステップＳ２０７）、高心拍数モードである場合には（ステップＳ２０７の「Ｙｅｓ」）、高心拍数検出後モードに移行し（ステップＳ２０８）、さらに、処理をステップＳ２０２に戻す。
【００５１】
一方で、高心拍数モードでない場合には（ステップＳ２０７の「Ｎｏ」）、一定の時間が経過しているか否かを判定し（ステップＳ２０９）、一定時間が経過していない場合（ステップＳ２０９の「Ｎｏ」）は、処理をステップＳ２０２に戻し、一定時間が経過している場合（ステップＳ２０９の「Ｙｅｓ」）は、平常モードに移行し（ステップＳ２１０）、さらに、処理をステップＳ２０２に戻す。以上が、心拍数の状態判別処理の詳細である。
【００５２】
ここで、説明を図４に戻すと、心拍数変化判定部５２が、上記の心拍数状態判別処理の結果を受けて、心拍数の状態が変化したか否かを判定する（ステップＳ１０２）。このとき、心拍数の状態に変化があった場合（ステップＳ１０２の「Ｙｅｓ」）には、その旨を撮影処理実行部５５に通知し、撮影処理実行部５５が、心拍数機能オプションメモリ５４内のデータテーブルを参照して、撮影条件の設定変更を行う（ステップＳ１０３）。
【００５３】
ここで、心拍数判定を撮影条件設定に反映させるための２つのモードについて説明する。
手振れ防止モードは、撮影者の心拍数から、手振れのリスクを判定しこれに対処するものである。撮影者が、被写体を追いかけて運動した結果、高心拍数になったり、あるいは緊張の余り高心拍数になることもある。前者は動きのために手振れのリスクが高まる可能性が大きく、後者の場合であっても、手の震えから手振れのリスクが高まる可能性がある。
【００５４】
このような場合、図６（Ａ）のように、高心拍数モードにおいて、シャッタースピードを速く、感度を高く設定することで手振れのリスクを下げることが出来る。また、手振れ補正機構を備えたカメラであれば、これに換えて図６（Ｂ）のような設定を行う。ここで、シャッターチャンス判定モードは、撮影者の心拍数から、現在撮影しようとしているシーンが、撮影者にとって重要かどうかを判定し、これに対処するものである。
【００５５】
決定的な瞬間を狙った場合、または、感動的なシーンの撮影を行う場合に、一般的に、撮影者の心拍は高まる。これらの場合に、図６（Ｃ）のように連写を自動的にＯＮすることで決定的なシーンの取り逃しを防ぐことが出来る。また、もともと連写設定がなされていた場合には、連写速度を上げたり、さらには連写モードから動画モードに切り換えても良い。
【００５６】
再び、図４に戻って、ステップＳ１０４では、撮影者による撮影指示があったか否かを判定する。撮影者による撮影指示があった場合（ステップＳ１０４の「Ｙｅｓ」）には、設定変更された撮影条件あるいは初期設定の撮影条件で撮影を実行し、処理をステップＳ１０１に戻す。一方で、撮影者による撮影指示が無かった場合（ステップＳ１０４の「Ｎｏ」）には、撮影を行わず、処理をステップＳ１０１に戻す。
【００５７】
したがって、本実施形態によれば、撮影シーンや撮影状態に応じた撮影条件の制御設定を撮影者が行うことなく、心拍数情報により撮像装置が自動的に撮影条件の制御を行うことから、撮影者に撮影補助効果を与えることができる。
【００５８】
なお、本実施例では、撮影者による撮影指示に従って撮影を行うようにしたが、さらに、高心拍数状態移行時に自動的にシャッターを切るような対応をとってもよい。また、撮像装置１００は、心拍数計測部５１に換えて皮膚電気抵抗センサを備えて、撮影者の手や指など皮膚の電気抵抗を計測し、発汗度から撮影者の緊張状態を判定するようにしても良い。この場合、発汗により電気抵抗値が下がった状態がこれまで述べた高心拍数状態に対応する。
【００５９】
＜第２の実施形態＞
図７を用いて、本発明の第２の実施形態について説明する。
本実施形態に係る再生装置は、図７に示すように、心拍数情報抽出部７１と、画像表示処理実行部７２と、画像探索実行部７３と、効果音／ＢＧＭ再生実行部７４と、心拍数オプション機能メモリ７５と、画像データメモリ７６と、心拍数データメモリ７７と、から構成されている。また、これらはバスラインを介して接続されており、このバスラインには、撮像装置１００のＣＰＵ６０、キー入力部４、１４〜２０、ＬＣＤ２１が接続されている。なお、図２および図３と同一の符号を付す構成要素については、同一の機能を有することから、その詳細な説明は省略する。
【００６０】
心拍数情報抽出部７１は、画像データメモリ７６に格納された画像データから心拍数情報を抽出し、画像表示処理実行部７２、画像検索実行部７３、効果音/ＢＧＭ再生実行部７４に心拍数情報を通知する。画像表示処理実行部７２は、心拍数情報抽出部７１からの撮影時の心拍数情報に基づいて、画像再生に必要な各種制御や再生処理を実行する。
【００６１】
画像探索実行部７３は、撮影時の心拍数情報に基づいて、画像データメモリ７６から所望の画像の検索を実行する。効果音／ＢＧＭ再生実行部７４は、画像再生時に、撮影時の心拍数情報に基づいて、ＢＧＭを自動的に選曲し、再生し、また、効果音を再生する。
【００６２】
心拍数オプション機能メモリ７５は、心拍数の状態変化に対する効果音やＢＧＭ等を相互に関連づけてデータテーブルの形式で保存する。画像データメモリ７６は、再生用画像データを格納する記憶装置である。心拍数データメモリ７７は、心拍数情報抽出部７１から出力される心拍数データを格納する記憶装置である。
【００６３】
上記の構成の本実施形態は、撮影時の心拍数情報と画像データとを撮影データに記録しておき、再生時に、撮影時の心拍数情報に対応した各種効果を自動的に付加するものである。具体的な各種効果としては、心拍数情報に基づいて緊張度や興奮度を表現するような画像やマーク、テロップ等の表示、あるいは、緊張度や興奮度をよりリアルに伝えるための効果音の挿入、心拍数に応じたテンポの速い、あるいは遅い曲の挿入等が考えられる。
【００６４】
したがって、本実施形態においては、撮影時の心拍数情報と画像データとを撮影データに記録しておき、再生時に、撮影時の心拍数情報に対応した各種効果を自動的に付加することから、再生時に撮影時の臨場感を自動的に再現する効果を与えることができる。
【００６５】
なお、撮像装置の処理をコンピュータ読み取り可能な記録媒体に記録し、この記録媒体に記録されたプログラムを撮像装置に読み込ませ、実行することによって本発明の撮像装置を実現することができる。ここでいうコンピュータシステムとは、ＯＳや周辺装置等のハードウェアを含む。
【００６６】
また、「コンピュータシステム」は、ＷＷＷ（Ｗｏｒｌｄ  Ｗｉｄｅ  Ｗｅｂ）システムを利用している場合であれば、ホームページ提供環境（あるいは表示環境）も含むものとする。また、上記プログラムは、このプログラムを記憶装置等に格納したコンピュータシステムから、伝送媒体を介して、あるいは、伝送媒体中の伝送波により他のコンピュータシステムに伝送されても良い。ここで、プログラムを伝送する「伝送媒体」は、インターネット等のネットワーク（通信網）や電話回線等の通信回線（通信線）のように情報を伝送する機能を有する媒体のことをいう。
【００６７】
また、上記プログラムは、前述した機能の一部を実現するためのものであっても良い。更に、前述した機能をコンピュータシステムにすでに記録されているプログラムとの組合せで実現できるもの、いわゆる差分ファイル（差分プログラム）であっても良い。
【００６８】
以上、この発明の実施形態につき、図面を参照して詳述してきたが、具体的な構成はこの実施形態に限られるものではなく、この発明の要旨を逸脱しない範囲の設計等も含まれる。
【図面の簡単な説明】
【００６９】
【図１】第１の実施形態に係る撮像装置の外観図である。
【図２】第１の実施形態に係る撮像装置の機能ブロック図である。
【図３】第１の実施形態に係る撮影処理判断部の構成図である。
【図４】第１の実施形態に係る撮影処理判断部のメイン処理フローである。
【図５】第１の実施形態に係る撮影処理判断部の心拍数状態変化における判別処理フローである。
【図６】心拍数の各モードと撮影条件とを関連づけたデータテーブルである。
【図７】第２の実施形態に係る再生装置の構成図である。
【符号の説明】
【００７０】
３・・・電源ボタン、４・・・シャッターボタン、６・・・ＬＥＤ、８、９・・・ストロボ発光部、１４・・・Ｐｌａｙボタン、１５・・・Ｒｅｃボタン、１６・・・動画ボタン、１７・・・ＳＥＴキー、１８・・・コントロールボタン、１９・・・ＭＥＮＵボタン、２０・・・ＤＩＳＰキー、２１・・・ＬＣＤ、２２・・・心拍数センサ、３０・・・レンズ、３１・・・レンズ駆動ブロック、３２・・・絞り兼用シャッター、４０・・・ＣＣＤ、４１・・・画像処理部、４３・・・外部通信Ｉ／Ｆ（Ｉｎｔｅｒｆａｃｅ）、４４・・・ストロボ駆動部、４５・・・記録メディア、４６・・・記録メディアＩ／Ｆ（Ｉｎｔｅｒｆａｃｅ）、４７・・・メモリ、４８・・・ＤＲＡＭ（Ｄｙｎａｍｉｃ  Ｒａｎｄｏｍ  Ａｃｃｅｓｓ  Ｍｅｍｏｒｙ）、５０・・・撮影処理判断部、５１・・・心拍数計測部、５２・・・心拍数変化判定部、５３、７７・・・心拍数データメモリ、５４、７５・・・心拍数機能オプションメモリ、５５・・・撮影処理実行部、５６・・・撮影画像情報記録部、５７、７６・・・画像データメモリ、６０・・・ＣＰＵ（Ｃｅｎｔｒａｌ  Ｐｒｏｃｅｓｓｉｎｇ  Ｕｎｉｔ）、７１・・・心拍数情報抽出部、７２・・・画像表示処理実行部、７３・・・画像探索実行部、７４・・・効果音／ＢＧＭ再生実行部、１００・・・撮像装置
【図１】
0005018375.tif 000002
【図２】
0005018375.tif 000003
【図３】
0005018375.tif 000004
【図４】
0005018375.tif 000005
【図５】
0005018375.tif 000006
【図６】
0005018375.tif 000007
【図７】
0005018375.tif 000008